(57)【特許請求の範囲】
【請求項１】
トイレ本体と、前記トイレ本体との間で無線通信を行うリモコン装置とを備えるトイレ装置であって、
前記リモコン装置は、リモコン操作手段と、前記リモコン操作手段に対する操作に応じた動作信号を生成する動作信号生成手段と、紐づけられたトイレ本体と共有する第１識別情報に応じた第１識別信号と複数のトイレ本体と共有する第２識別情報に応じた第２識別信号の少なくとも一方を生成する識別信号生成手段と、前記識別信号生成手段が生成する識別信号を前記動作信号に付与した送信信号を無線送信する送信手段と、を有し、
前記トイレ本体は、人体を検知する人体検知手段と、前記送信手段が無線送信する前記送信信号を受信する受信手段と、前記送信信号に付与された識別信号を解読する解読手段と、前記送信信号に含まれる動作信号を保持する保持手段と、前記送信信号が前記第１識別信号を含む場合には前記送信信号に含まれる動作信号に応じた動作を実行し、前記送信信号が前記第２識別信号を含む場合には所定時間の間に所定の入力が無い場合に前記保持手段が保持する前記動作信号に応じた動作を実行する実行手段と、を有する
ことを特徴とするトイレ装置。
【請求項２】
前記所定の入力は、前記第１識別信号を含む前記送信信号であることを特徴とする請求項１に記載のトイレ装置。
【請求項３】
前記所定の入力は、前記人体検知手段の検知であることを特徴とする請求項１に記載のトイレ装置。
【請求項４】
前記実行手段は、前記第２識別信号を含む前記送信信号を受信したときに、前記人体検知手段が検知中の場合には前記動作信号に応じた動作を行わない
ことを特徴とする請求項１乃至請求項３の何れか１項に記載のトイレ装置。
【請求項５】
前記動作信号に前記第１識別信号のみを付与して送信する個別リモコンと、
前記動作信号に前記第２識別信号のみを付与して送信する共通リモコンと、
を更に備えた
ことを特徴とする請求項１乃至４の何れか1項に記載のトイレ装置。
【請求項６】
前記個別リモコンの前記送信手段は電波通信を使用し、
前記共通リモコンの前記送信手段は光波通信を使用する
ことを特徴とする請求項５に記載のトイレ装置。
【発明の詳細な説明】
【技術分野】
【０００１】
本発明は、トイレ本体とリモコンの間で無線信号を送受信するトイレ装置に関する。
【背景技術】
【０００２】
従来、トイレ本体と当該トイレ本体との間で無線通信を行うリモコンとを備えたトイレ装置が知られている。トイレ装置とリモコンとの間の無線通信に使用される無線伝送媒体としては赤外光や電波が一般的である。リモコンを備えたトイレ装置においては、操作時の姿勢の自由度が高いため利便性の高いトイレ装置を実現できる。
【０００３】
ところで、学校や会社などのパブリックスペースにおいては、トイレ装置をそれぞれ設置したトイレ室を複数設けたトイレスペースを有する場合がある。この場合、各トイレ室に設置されるトイレ本体毎にリモコンを設置するため、或るトイレ室内に設置されたリモコンが他のトイレ室内に設置されたトイレ本体を誤作動させないようにする工夫が行われている（例えば特許文献１参照）。
【０００４】
特許文献１には、操作スイッチと、操作スイッチの信号と設定された識別信号とを光信号送出手段に送るリモコン制御手段と、光信号送出手段とを備えたリモコンであって、設定された識別信号が、予め準備された複数の識別信号設定値の中から識別信号選択手段によって選択されたものであり、その選択を行うための切替スイッチを有するリモコンと、人体局部を洗浄する洗浄手段とその洗浄手段を制御する本体制御手段と洗浄装置の操作のための操作スイッチと便座に人体が着座していることを検知する着座センサーと、リモコンからの光信号を受信しその中の識別信号と予め格納された識別信号とを比較し、一致すれば光信号に含まれる操作スイッチの信号を本体制御手段に伝達する光信号解読手段を有する人体局部洗浄装置について開示されている。
【先行技術文献】
【特許文献】
【０００５】
【特許文献１】特開平１１−１４０９４４号公報
【発明の概要】
【発明が解決しようとする課題】
【０００６】
ここで、パブリック向けのトイレスペースのようにトイレ装置を複数並べて設置している場合、リモコンとトイレ本体を識別信号によってペアリングすることが一般的である。この場合、トイレ装置の設定変更を行う際に、複数のトイレ装置に同様の設定変更を適用する場合であっても、各トイレ装置のリモコンでそれぞれに設定を行う必要があり、トイレ装置の設定変更に係る作業性が悪化する問題があった。
【０００７】
このような問題に対処する方法として、１つのリモコンで複数のトイレ装置の設定変更や動作指示などの機能を作動させるべく、リモコンから送信される識別信号を一時的に複数のトイレ装置が応答する共通の識別信号とすることが考えられる。リモコンから共通の識別信号を用いて設定変更や動作指示の信号を送信することで、１つのリモコンから複数のトイレ装置の設定変更を行ったり複数のトイレ装置を作動させたりして、トイレ装置の設定変更に係る作業性を改善することができる。
【０００８】
しかしながら、共通の識別信号を用いてトイレ装置に対する設定変更や動作指示を行うと、通信可能範囲内にある全てのトイレ装置が応答するため、例えば、複数のトイレ装置のうち所定のトイレ装置は他のトイレ装置と異なる設定としたい場合等には、該当するトイレ装置に対して更に個別に設定変更を行う必要があり、設定変更や動作指示に係る作業性の向上が十分で無かった。
【０００９】
本発明は、前記課題に鑑みてなされたものであり、リモコンの通信可能範囲内に複数のトイレ装置が設置されたパブリックスペースにおいて、各トイレ装置の設定変更や動作指示に係る作業性を向上させることを目的とする。
【課題を解決するための手段】
【００１０】
本発明の態様の１つは、トイレ本体と、前記トイレ本体との間で無線通信を行うリモコン装置とを備えるトイレ装置であって、前記リモコン装置は、リモコン操作手段と、前記リモコン操作手段に対する操作に応じた動作信号を生成する動作信号生成手段と、紐づけられたトイレ本体と共有する第１識別情報に応じた第１識別信号と複数のトイレ本体と共有する第２識別情報に応じた第２識別信号の少なくとも一方を生成する識別信号生成手段と、前記動作信号に前記識別信号生成手段が生成する識別信号を付与した送信信号を無線送信する送信手段と、を有し、前記トイレ本体は、人体を検知する人体検知手段と、前記送信手段が無線送信する前記送信信号を受信する受信手段と、前記送信信号に付与された識別信号を解読する解読手段と、前記送信信号に含まれる動作信号を保持する保持手段と、前記送信信号が前記第１識別信号を含む場合には前記送信信号に含まれる動作信号に応じた動作を実行し、前記送信信号が前記第２識別信号を含む場合には所定時間の間に所定の入力が無い場合に前記保持手段が保持する前記動作信号に応じた動作を実行する実行手段と、を有することを特徴とするトイレ装置である。
【００１１】
このように構成したトイレ装置においては、送信信号が第１識別情報に応じた識別信号を含む場合には保持手段が保持する動作信号に応じた動作を実行手段が実行し、送信信号が第２識別情報に応じた識別信号を含む場合には送信信号に含まれる動作信号に応じた動作の実行前に所定時間の待機を行う。第２識別情報に応じた識別情報が付与された送信信号を受信してから所定時間が経過するまでに所定の入力が無ければ保持手段が保持する動作信号に応じた動作を実行手段が実行し、所定時間が経過するまでに所定の入力が有れば実行手段は動作を実行しない。このように、リモコン装置から第２識別情報に応じた識別信号を付与した動作信号を送信することで、複数のトイレ本体に同じ動作信号に応じた機能（動作や設定変更等）を実行させることができる。また、第２識別情報に応じた識別信号を付与した動作信号を実行させたくないトイレ本体に対しては、所定時間の間に所定の入力を行うことで、選択的に同じ動作信号を実行させる対象から除外することができる。これにより、一つのリモコン装置を用いた操作によって複数のトイレ本体に同じ機能を実行させることと、特定のトイレ本体については共通の機能を実行させないようにできる。
【００１２】
本発明の選択的な態様の１つは、前記所定の入力は、前記第１識別信号を含む前記送信信号であることを特徴とするトイレ装置である。
【００１３】
このように構成されたトイレ装置においては、第２識別情報に応じた識別情報を付与して送信した送信信号に含まれる動作信号を実行させたくないトイレ本体に対しては、例えば、当該トイレ本体に紐づけられ第１識別情報を当該トイレ装置と共有するリモコン装置に対して操作を行って、当該トイレ本体に紐づけられたリモコン装置と共有する第１識別情報に応じた識別情報を付与した送信信号を当該トイレ本体へ送信することで、上述した機能を実行させないようにすることができる。
【００１４】
本発明の選択的な態様の１つは、前記所定の入力は、前記人体検知手段の検知であることを特徴とするトイレ装置である。
【００１５】
このように構成されたトイレ装置においては、第２識別情報に応じた識別情報を付与して送信した送信信号に含まれる動作信号を実行させたくないトイレ本体に対しては、例えば作業者が当該トイレ本体から一定距離まで近づくことにより、当該トイレ本体の人体検知手段に人体を検知させることで、上述した機能を実行させないようにすることができる。
【００１６】
本発明の選択的な態様の１つは、前記実行手段は、前記第２識別信号を含む前記送信信号を受信したときに、前記人体検知手段が検知中の場合には前記動作信号に応じた動作を行わないことを特徴とするトイレ装置である。
【００１７】
このように構成されたトイレ装置においては、第２識別情報に応じた識別情報を付与した動作信号を送信したときに、使用中のトイレ本体については、受信した動作信号に応じた機能を実行させないようにすることができる。これにより、トイレ本体が勝手に動作して当該トイレ本体を使用中の使用者が驚かないようにすることができる。
【００１８】
本発明の選択的な態様の１つは、前記動作信号に前記第１識別信号のみを付与して送信する個別リモコンと、前記動作信号に前記第２識別信号のみを付与して送信する共通リモコンと、を更に備えたことを特徴とするトイレ装置である。
【００１９】
このように構成されたトイレ装置においては、第２識別情報に応じた識別情報を付与した送信信号を送信することができる共通リモコンと、第１識別情報に応じた識別情報を付与した送信信号を送信することができる個別リモコンとを別体としてある。このため、例えば、個別リモコンは各トイレ室に設置し、共通リモコンは所定の権限を有する管理者だけが持つようにする利用態様を実現し、管理者以外の使用者の過失又悪意のリモコン装置の操作によって第２識別情報に応じた識別情報を付与した送信信号が送信されることを防止し、過失又悪意によって複数の本体が同時に作動される事態を回避できる。
【００２０】
本発明の選択的な態様の１つは、前記個別リモコンの前記送信手段は電波通信を使用し、前記共通リモコンの前記送信手段は光波通信を使用することを特徴とするトイレ装置である。
【００２１】
このように構成されたトイレ装置においては、第１識別情報に応じた識別情報が付与された送信信号を電波通信によって送信する一方、第２識別情報に応じた識別情報が付与された送信信号を光波通信によって送信する。電波通信は壁等の透過性が高く、別の階にあるトイレ室や別の建物のトイレ室に設置されているトイレ本体に送信信号が到達する可能性があるため、第２識別情報に応じた識別情報が付与された送信信号の送信によって作業者が意図していた対象外のトイレ本体も作動させてしまう可能性がある。そこで、第２識別情報に応じた識別情報が付与された送信信号の送信に光波通信を用いることで、壁面等で区画された光波が到達可能な一定範囲内に送信信号の到達範囲が限定され、別の階や別の建物のトイレ室に設置されているトイレ本体まで作動させる事態を回避できる。
【００２２】
なお、以上説明したトイレ装置は、他の機器に組み込まれた状態で実施されたり、他のシステムに組み込まれた状態で実施されたり、他の方法とともに実施されたりする等の各種の態様を含む。
【発明の効果】
【００２３】
本発明によれば、送信信号が第１識別情報に応じた識別信号を含む場合には保持手段が保持する動作信号に応じた動作を実行手段が実行し、送信信号が第２識別情報に応じた識別信号を含む場合には送信信号に含まれる動作信号に応じた動作の実行前に所定時間の待機を行う。第２識別情報に応じた識別情報が付与された送信信号を受信してから所定時間が経過するまでに所定の入力が無ければ保持手段が保持する動作信号に応じた動作を実行手段が実行し、所定時間が経過するまでに所定の入力が有れば実行手段は動作を実行しない。このように、リモコン装置から第２識別情報に応じた識別信号を付与した動作信号を送信することで、複数のトイレ本体に同じ動作信号に応じた機能（動作や設定変更等）を実行させることができる。また、第２識別情報に応じた識別信号を付与した動作信号を実行させたくないトイレ本体に対しては、所定時間の間に所定の入力を行うことで、選択的に同じ動作信号を実行させる対象から除外することができる。これにより、一つのリモコン装置を用いた操作によって複数のトイレ本体に同じ機能を実行させることと、特定のトイレ本体については共通の機能を実行させないようにできる。
【００２４】
請求項２に係るトイレ装置によれば、第２識別情報に応じた識別情報を付与して送信した送信信号に含まれる動作信号を実行させたくないトイレ本体に対しては、例えば、当該トイレ本体に紐づけられ第１識別情報を当該トイレ装置と共有するリモコン装置に対して操作を行って、当該トイレ本体に紐づけられたリモコン装置と共有する第１識別情報に応じた識別情報を付与した送信信号を当該トイレ本体へ送信することで、上述した機能を実行させないようにすることができる。
【００２５】
請求項３に係るトイレ装置によれば、第２識別情報に応じた識別情報を付与して送信した送信信号に含まれる動作信号を実行させたくないトイレ本体に対しては、例えば作業者が当該トイレ本体から一定距離まで近づくことにより、当該トイレ本体の人体検知手段に人体を検知させることで、上述した機能を実行させないようにすることができる。
【００２６】
請求項４に係るトイレ装置によれば、第２識別情報に応じた識別情報を付与した動作信号を送信したときに、使用中のトイレ本体については、受信した動作信号に応じた機能を実行させないようにすることができる。これにより、トイレ本体が勝手に動作して当該トイレ本体を使用中の使用者が驚かないようにすることができる。
【００２７】
請求項５に係るトイレ装置によれば、第２識別情報に応じた識別情報を付与した送信信号を送信することができる共通リモコンと、第１識別情報に応じた識別情報を付与した送信信号を送信することができる個別リモコンとを別体としてある。このため、例えば、個別リモコンは各トイレ室に設置し、共通リモコンは所定の権限を有する管理者だけが持つようにする利用態様を実現し、管理者以外の使用者の過失又悪意のリモコン装置の操作によって第２識別情報に応じた識別情報を付与した送信信号が送信されることを防止し、過失又悪意によって複数の本体が同時に作動される事態を回避できる。
【００２８】
請求項６に係るトイレ装置によれば、第１識別情報に応じた識別情報が付与された送信信号を電波通信によって送信する一方、第２識別情報に応じた識別情報が付与された送信信号を光波通信によって送信する。電波通信は壁等の透過性が高く、別の階にあるトイレ室や別の建物のトイレ室に設置されているトイレ本体に送信信号が到達する可能性があるため、第２識別情報に応じた識別情報が付与された送信信号の送信によって作業者が意図していた対象外のトイレ本体も作動させてしまう可能性がある。そこで、第２識別情報に応じた識別情報が付与された送信信号の送信に光波通信を用いることで、壁面等で区画された光波が到達可能な一定範囲内に送信信号の到達範囲が限定され、別の階や別の建物のトイレ室に設置されているトイレ本体まで作動させる事態を回避できる。
【図面の簡単な説明】
【００２９】
【図１】第１の実施形態に係るトイレスペースの概略構成を示す図である。
【図２】第１の実施形態に係るトイレ本体を表す模式的斜視図である。
【図３】第１の実施形態に係るトイレ本体が備える便座装置の機能的構成を示すブロック図である。
【図４】第１の実施形態に係るリモコン装置の機能的構成を示すブロック図である。
【図５】第１の実施形態に係るリモコン装置の動作の流れを示すフローチャートである。
【図６】第１の実施形態に係るトイレ本体が実行する判定処理の流れを示すフローチャートである。
【図７】第２の実施形態に係るトイレスペースの概略構成を示す図である。
【図８】第２の実施形態に係る個別リモコン装置の機能的構成を示すブロック図である。
【図９】第２の実施形態に係る共通リモコン装置の機能的構成を示すブロック図である。
【図１０】第２の実施形態に係る個別リモコン装置の動作の流れを示すフローチャートである。
【図１１】第２の実施形態に係る共通リモコン装置の動作の流れを示すフローチャートである。
【図１２】第３の実施形態に係る個別リモコン装置の機能的構成を示すブロック図である。
【図１３】第３の実施形態に係る共通リモコン装置の機能的構成を示すブロック図である。
【図１４】第３の実施形態に係るトイレ本体が備える便座装置の機能的構成を示すブロック図である。
【図１５】第３の実施形態に係るトイレ本体が実行する判定処理の流れを示すフローチャートである。
【図１６】第４の実施形態に係るトイレシステムを説明する図である。
【発明を実施するための形態】
【００３０】
以下、下記の順序に従って本発明を説明する。
（１）第１の実施形態：
（２）第２の実施形態：
（３）第３の実施形態：
（４）第４の実施形態：
（５）まとめ：
【００３１】
（１）第１の実施形態： 
図１は、本実施形態に係るトイレスペースＴＳの概略構成を示す図である。トイレスペースＴＳには、複数の個室Ｐｎ（図１に示す例では、ｎ＝０１〜１４）が設けられており、各個室Ｐｎ内には、それぞれトイレ本体Ｔｎ（図１に示す例では、ｎ＝０１〜１４）とリモコン装置Ｒｎ（図１に示す例では、ｎ＝０１〜１４）が設置されている。本実施形態においては、各個室内Ｐｎ内に設置される一組のトイレ本体Ｔｎとリモコン装置Ｒｎがトイレ装置を構成する。
【００３２】
本実施形態では、トイレ本体Ｔｎとリモコン装置Ｒｎが互いに紐づけられており、同じ個室Ｐｎ内に設置されるトイレ本体Ｔｎとリモコン装置Ｒｎは、各装置が内蔵する制御手段のソフトウェア的設定により紐づけられている。例えば、トイレ本体Ｔｎとリモコン装置Ｒｎの間で送受信する動作信号に識別情報を付与し、動作実行前に当該識別情報を判別することにより、トイレ本体Ｔｎとリモコン装置Ｒｎの紐づけを実現できる。
【００３３】
リモコン装置Ｒｎは、個別モードと共通モードを切り替え可能である。個別モードに設定されたリモコン装置Ｒｎは、紐づけられたトイレ本体Ｔｎに対して各種の動作指示や設定変更指示が可能となり、紐づけられていないトイレ本体Ｔｎに対する各種の動作指示や設定変更指示ができなくなる。一方、共通モードに設定されたリモコン装置Ｒｎは、紐づけに関係なく、全てのトイレ本体Ｔｎに対して各種の動作指示や設定変更指示が可能となる。
【００３４】
次に、トイレ本体Ｔｎの１つとしてのトイレ本体１、リモコン装置Ｒｎの１つとしてのリモコン装置２の構成について説明する。
【００３５】
図２は、本実施形態に係るトイレ本体１を表す模式的斜視図である。同図に示すトイレ本体１は、洋式腰掛便器１０（以下、単に便器１０とする）と、便器１０の上に固定して一体化された便座装置２０と、を備える。
【００３６】
便器１０は、ボウル部１１を有する。ボウル部１１は、便器１０の上部に設けられる。ボウル部１１は、便器１０の上面１０ａから下方へ凹んだ凹状に形成されている。ボウル部１１は、使用者が排泄した汚物や尿などを受ける。また、ボウル部１１の内部には水が貯留されており、便器１０に接続された排水管から悪臭や害虫類などが室内へ逆流することを防止する。
【００３７】
便座装置２０は、ケーシング２１、便座２２、及び、便蓋２３を有する。便座２２と便蓋２３は、ケーシング２１に対して軸支されている。便座２２は、ボウル部１１の上縁に沿って配置された閉状態と、ボウル部１１の上縁に対して略垂直に配置された開状態との間で、ケーシング２１に対する軸を回転の中心として回動自在になっている。同様に、便蓋２３も、ボウル部１１の上縁に沿って便器１０の上に配置された閉状態と、ボウル部１１の上縁に対して略垂直に配置された開状態との間で、ケーシング２１に対する軸を回転の中心として回動自在になっている。なお、便蓋２３は必ずしも設けなくともよい。
【００３８】
図３は、本実施形態に係るトイレ本体１が備える便座装置２０の機能的構成を示すブロック図である。便座装置２０は、概略、人体検知手段Ｆ１と、受信手段Ｆ２と、解読手段Ｆ３と、保持手段Ｆ４と、実行手段Ｆ５と、を備える。
【００３９】
人体検知手段Ｆ１は、便器１０の前方にいる使用者、すなわち便座装置２０から前方へ離間した位置に存在する使用者を検知する人体検知センサー、使用者が便座装置２０に着座する直前において便座装置２０の上方に存在する人体や、便座装置２０に着座した使用者を検知する着座検知センサー、トイレ室のドアを開けて入室した直後の使用者や、トイレ室に入室しようとしてドアの前に存在する使用者を検知する入室検知センサー等を用いて実現される。
【００４０】
受信手段Ｆ２は、所定の無線通信媒体（赤外線、光、電波等）を介した通信によりリモコン装置２が送信する送信信号ＳＳを受信する。所定の無線通信媒体としては、リモコン装置２の送信手段Ｆ２４が使用する無線通信媒体と共通であれば、いかなる無線通信媒体を使用してもよい。
【００４１】
解読手段Ｆ３は、受信手段Ｆ２が受信した受信信号ＳＲが含む識別信号ＳＩを解読するものであり、受信信号ＳＲが含む識別信号ＳＩの有無、受信信号ＳＲが含む識別信号ＳＩの種類、等を判断する。解読手段Ｆ３は、例えば、ＲＯＭに記憶されたプログラムやデータをＲＡＭに展開しつつプログラムに応じた演算処理を実行するＣＰＵ等の制御主体により実施することができる。
【００４２】
保持手段Ｆ４は、解読手段Ｆ３が受信信号ＳＲから読み取った動作信号ＳＣを一時的に記憶して保持する。保持手段Ｆ４は、例えば、上述した制御主体としての解読手段Ｆ３が有するＲＡＭやレジスタ、又は解読手段Ｆ３からアクセス可能な記憶媒体により実現することができる。
【００４３】
実行手段Ｆ５は、受信信号ＳＲが含む動作信号ＳＣに基づいて、便座装置２０の各部の動作を制御したり各部の設定を変更したりする。実行手段Ｆ５は、例えば、ＲＯＭに記憶されたプログラムやデータをＲＡＭに展開しつつプログラムに応じた演算処理を実行するＣＰＵ等の制御主体により構成することができる。
【００４４】
実行手段Ｆ５が動作を制御する各部としては、電磁弁、センサー、モーター、ヒーター等がある。電磁弁は、例えば、洗浄水を便器１０のボウル部１１に供給する水路中に設けられて当該水路を開閉するものがある。センサーとしては、入室検知センサー、人体検知センサー、着座検知センサーが例示される。ヒーターとしては、使用者の局部への送風を加温する温風ヒーター、便座２２を加温する便座ヒーターが例示される。モーターとしては、使用者の局部へ吐出する水流を発生させる吐水モーター、使用者の局部へ水を吐出するノズルを進退させるノズルモーターが例示される。
【００４５】
図４は、本実施形態に係るリモコン装置２の機能的構成を示すブロック図である。リモコン装置２は、入力手段Ｆ２１、動作信号生成手段Ｆ２２、識別信号生成手段Ｆ２３、及び送信手段Ｆ２４を有する。
【００４６】
入力手段Ｆ２１は、使用者から操作入力を受け付けるものであり、例えば、スイッチやタッチパネル等で構成される。入力手段Ｆ２１は、使用者が行った操作に応じた操作信号ＳＨを生成し、この操作信号ＳＨを動作信号生成手段Ｆ２２へ出力する。
【００４７】
動作信号生成手段Ｆ２２は、入力手段Ｆ２１から入力される操作信号ＳＨに応じた動作信号ＳＣを生成し、この動作信号ＳＣを送信手段Ｆ２４へ出力する。
【００４８】
識別信号生成手段Ｆ２３は、個別ＩＤと共通ＩＤの双方を記憶したＩＤ記憶部を有し、リモコン装置２のモードに応じて、個別ＩＤと共通ＩＤの何れか一方に応じた識別信号ＳＩを生成し、送信手段Ｆ２４へ供給する。
【００４９】
なお、リモコン装置２の送信モードは、所定の治具等を用いて共通ＩＤ送信モードと個別ＩＤ送信モードのいずれか一方のモードに設定される構成としてもよいし、リモコン装置２の入力手段Ｆ２１に対する所定の操作入力によって共通ＩＤ送信モードと個別ＩＤ送信モードとを切り替える構成としてもよい。
【００５０】
送信手段Ｆ２４は、動作信号生成手段Ｆ２２から入力される動作信号ＳＣに識別信号生成手段Ｆ２３から供給される識別信号ＳＩを付与して送信信号ＳＳとし、この送信信号ＳＳを所定の無線通信媒体（赤外線、光、電波等）を介した通信により送信する。
【００５１】
図５は、本実施形態に係るリモコン装置２の動作の流れを示すフローチャートである。リモコン装置２においては、このフローチャートに示す動作が一定の周期で繰り返し実行されている。
【００５２】
動作が開始されると、入力手段Ｆ２１がリモコン装置２に対する入力の有無を判断する（Ｓ２１）。リモコン装置２に対する入力としては、リモコン装置２が備えるボタンやスイッチ、タッチパネル等の操作入力部に対する入力が例示される。入力手段Ｆ２１がリモコン装置２に対する入力を検知した場合は（Ｓ２１：Ｙｅｓ）、動作信号生成手段Ｆ２２が入力に応じた動作信号ＳＣを生成する（Ｓ２２）。入力を検知しない場合は（Ｓ２１：Ｎｏ）、入力を検知するまでリモコン装置２に対する入力の有無の判断を繰り返し実行する。
【００５３】
また、入力手段Ｆ２１がリモコン装置２に対する入力を検知した場合は（Ｓ２１：Ｙｅｓ）、識別信号生成手段Ｆ２３がリモコン装置２の送信モードを判断する（Ｓ２３）。識別信号生成手段Ｆ２３は、送信モードが共通ＩＤ送信モードの場合は（Ｓ２３：Ｙｅｓ）、共通ＩＤに応じた識別信号ＳＩを生成し（Ｓ２４）、送信モードが個別ＩＤ送信モードの場合は（Ｓ２３：Ｎｏ）、識別信号生成手段Ｆ２３が個別ＩＤに応じた識別信号ＳＩを生成する（Ｓ２５）。
【００５４】
送信手段Ｆ２４は、動作信号生成手段Ｆ２２が生成した動作信号ＳＣと、識別信号生成手段Ｆ２３が生成した識別信号ＳＩと、を含む送信信号ＳＳを生成し（Ｓ２６）、無線通信により送信する（Ｓ２７）。このように、本実施形態に係るリモコン装置２においては、リモコン使用者の操作入力とリモコン装置２のモードの設定とに応じた送信信号ＳＳを生成して送信することができる。
【００５５】
図６は、本実施形態に係るトイレ本体１が実行する判定処理の流れを示すフローチャートである。この判定処理は、トイレ本体１において一定の周期で繰り返し実行されている。
【００５６】
処理が開始されると、受信手段Ｆ２は、無線信号の受信の有無を判断する（Ｓ１）。そして、無線信号を受信した場合は（Ｓ１：Ｙｅｓ）、解読手段Ｆ３が受信信号ＳＲに自機の個別ＩＤ又は共通ＩＤが付与されているか判断する（Ｓ２）。受信信号ＳＲに自機の個別ＩＤ又は共通ＩＤが付与されていない場合は（Ｓ２：Ｎｏ）、動作実行せずに本判定処理を終了し（Ｓ９）、受信信号ＳＲに自機の個別ＩＤ又は共通ＩＤが付与されている場合は（Ｓ２：Ｙｅｓ）、保持手段Ｆ４に動作信号ＳＣをいったん保存して保持する（Ｓ３）。
【００５７】
次に、解読手段Ｆ３は、受信信号ＳＲに付与されているＩＤの種類を判断する（Ｓ４）。受信信号ＳＲに付与されているＩＤが個別ＩＤの場合は（Ｓ４：Ｎｏ）、同一の個室Ｐｎ内に設置されたリモコン装置２が送信した信号であるため、保持手段Ｆ４に保持されている動作信号ＳＣに応じた所定の処理を遅滞なく実行して本判定処理を終了する（Ｓ５）。すなわち、使用者が同じ個室Ｐｎ内に設置されたリモコン装置２を操作すると、当該操作に応じた動作が遅滞なく実行される。
【００５８】
一方、受信信号ＳＲに付与されているＩＤが共通ＩＤの場合は（Ｓ４：Ｙｅｓ）、同一の個室Ｐｎに設置されたリモコン装置２以外から送信された信号であるため、動作実行前に個室Ｐｎの現在の使用状態を判断する（Ｓ６）。個室Ｐｎの現在の使用状態は、例えば、人体検知手段Ｆ１による検知の有無で判断することができる。個室Ｐｎが使用中状態の場合は（Ｓ６：Ｙｅｓ）、動作を実行せずに本判定処理を終了する（Ｓ９）。
【００５９】
このように、個室Ｐｎの現在の使用状態を判断することにより、使用中の個室Ｐｎにおいて、トイレ利用者の意図しない動作をトイレ本体１が行うことを回避できる。なお、動作信号ＳＣに応じて実行される動作時間内にトイレ本体１が使用中状態になる可能性がある準使用中状態の場合にも同様に動作を実行せずに本判定処理を終了する構成としてもよい。
【００６０】
一方、個室Ｐｎが非使用中状態の場合は（Ｓ６：Ｎｏ）、所定時間待機する（Ｓ７）。このような待機時間を設けることにより、共通ＩＤを付した動作信号ＳＣによる設定や動作の適用を希望しないトイレ本体１に対し、個別に動作信号ＳＣに応じた処理の非適用を示す所定の操作入力を行うための時間を確保できる。
【００６１】
当該所定の操作入力が行われることなく（Ｓ８：Ｎｏ）所定時間が経過した場合は（Ｓ７：Ｙｅｓ）、動作信号ＳＣに応じた所定の処理を実行して本判定処理を終了する（Ｓ５）。一方、所定時間内に（Ｓ７：Ｎｏ）所定の操作入力が行われた場合は（Ｓ８：Ｙｅｓ）、動作を実行せずに本判定処理を終了する（Ｓ９）。
【００６２】
以上のように、１つのリモコン装置２から共通ＩＤを付与した動作信号ＳＣを送信することにより、同一の送信信号ＳＳによって、複数のトイレ本体１に共通の機能を実行させることができる。また、同一の送信信号ＳＳで共通の機能を実行させたくないトイレ本体１については、該当するトイレ本体１に対して、送信信号ＳＳの送信から所定時間内に所定の操作を行うことにより、共通の機能の実行を停止させることができる。
【００６３】
（２）第２の実施形態：
図７は、本実施形態に係るトイレスペースＴＳ’の概略構成を示す図である。同図に示すトイレスペースＴＳ’には、複数の個室Ｐｎ（図７に示す例では、ｎ＝０１〜１４）が設けられており、各個室Ｐｎ内には、それぞれトイレ本体Ｔｎ（図７に示す例では、ｎ＝０１〜１４）と個別リモコン装置Ｒｎ（図７に示す例では、ｎ＝０１〜１４）が設置されており、これら個別リモコン装置Ｒｎとは別に共通リモコン装置Ｒ００が用意されている。
【００６４】
同一の個室Ｐｎ内に設置されるトイレ本体Ｔｎと個別リモコン装置Ｒｎは、各装置が内蔵する制御手段のソフトウェア的設定により紐づけられている。本実施形態では、同じ個室Ｐｎ内に設置されたトイレ本体Ｔｎと個別リモコン装置Ｒｎが互いに紐づけられている。紐づけは、トイレ本体Ｔｎと個別リモコン装置Ｒｎの間で送受信する動作信号ＳＣに付与された識別情報の判別により実現することができる。
【００６５】
各個室Ｐｎに設置された個別リモコン装置Ｒｎは、紐づけられたトイレ本体Ｔｎに対して各種の動作指示や設定変更指示が可能となり、紐づけられていないトイレ本体Ｔｎに対する各種の動作指示や設定変更指示ができない。一方、個別リモコン装置Ｒｎとは別に用意された共通リモコン装置Ｒ００は、トイレスペースＴＳ’内の全てのトイレ本体Ｔｎに対して各種の動作指示や設定変更指示が可能である。
【００６６】
以下、個別リモコン装置Ｒｎの１つとしての個別リモコン装置１０２の構成及び共通リモコン装置Ｒ００としての共通リモコン装置２０２の構成について説明する。なお、トイレ本体Ｔｎの構成は上述した第１の実施形態と同様であるため詳細な説明は省略し、第１の実施形態と同じ符号を付して説明を行う。
【００６７】
図８は、本実施形態に係る個別リモコン装置１０２の機能的構成を示すブロック図である。個別リモコン装置１０２は、入力手段Ｆ１２１、動作信号生成手段Ｆ１２２、識別信号生成手段Ｆ１２３、及び送信手段Ｆ１２４を有する。
【００６８】
入力手段Ｆ１２１は、使用者から操作入力を受け付けるものであり、例えば、スイッチやタッチパネル等で構成される。入力手段Ｆ１２１は、使用者が行った操作に応じた操作信号ＳＨを生成し、この操作信号ＳＨを動作信号生成手段Ｆ１２２へ出力する。
【００６９】
動作信号生成手段Ｆ１２２は、入力手段Ｆ１２１から入力される操作信号ＳＨに応じた動作信号ＳＣを生成し、この動作信号ＳＣを送信手段Ｆ１２４へ出力する。
【００７０】
識別信号生成手段Ｆ１２３は、個別ＩＤを記憶したＩＤ記憶部を有している。識別信号生成手段Ｆ１２３は、個別ＩＤに応じた識別信号ＳＩを生成し、送信手段Ｆ１２４へ供給する。
【００７１】
送信手段Ｆ１２４は、動作信号生成手段Ｆ１２２から入力される動作信号ＳＣに識別信号生成手段Ｆ１２３から供給される識別信号ＳＩを付与して送信信号ＳＳとし、この送信信号ＳＳを所定の無線通信媒体（赤外線、光、電波等）を介した通信により送信する。
【００７２】
図９は、本実施形態に係る共通リモコン装置２０２の機能的構成を示すブロック図である。共通リモコン装置２０２は、入力手段Ｆ２２１、動作信号生成手段Ｆ２２２、識別信号生成手段Ｆ２２３、及び送信手段Ｆ２２４を有する。
【００７３】
入力手段Ｆ２２１は、使用者から操作入力を受け付けるものであり、例えば、スイッチやタッチパネル等で構成される。入力手段Ｆ２２１は、使用者が行った操作に応じた操作信号ＳＨを生成し、この操作信号ＳＨを動作信号生成手段Ｆ２２２へ出力する。
【００７４】
動作信号生成手段Ｆ２２２は、入力手段Ｆ２２１から入力される操作信号ＳＨに応じた動作信号ＳＣを生成し、この動作信号ＳＣを送信手段Ｆ２２４へ出力する。
【００７５】
識別信号生成手段Ｆ２２３は、共通ＩＤを記憶するＩＤ記憶部を有している。識別信号生成手段Ｆ２２３は、共通ＩＤに応じた識別信号ＳＩを生成し、送信手段Ｆ２２４へ供給する。
【００７６】
送信手段Ｆ２２４は、動作信号生成手段Ｆ２２２から入力される動作信号ＳＣに識別信号生成手段Ｆ２２３から供給される識別信号ＳＩを付与して送信信号ＳＳとし、この送信信号ＳＳを所定の無線通信媒体（赤外線、光、電波等）を介した通信により送信する。
【００７７】
図１０は、本実施形態に係る個別リモコン装置１０２の動作の流れを示すフローチャートである。個別リモコン装置１０２においては、このフローチャートに示す動作が一定の周期で繰り返し実行されている。
【００７８】
動作が開始されると、入力手段Ｆ１２１が個別リモコン装置１０２に対する入力の有無を判断する（Ｓ１２１）。個別リモコン装置１０２に対する入力としては、個別リモコン装置１０２が備えるボタンやスイッチ、タッチパネル等の操作入力部に対する入力が例示される。入力手段Ｆ１２１が個別リモコン装置１０２に対する入力を検知した場合は（Ｓ１２１：Ｙｅｓ）、動作信号生成手段Ｆ１２２が入力に応じた動作信号ＳＣを生成する（Ｓ１２２）。入力を検知しない場合は（Ｓ１２１：Ｎｏ）、入力を検知するまで、個別リモコン装置１０２に対する入力の有無の判断を繰り返し実行する。
【００７９】
入力手段Ｆ１２１が個別リモコン装置１０２に対する入力を検知した場合は（Ｓ１２１：Ｙｅｓ）、識別信号生成手段Ｆ１２３は、個別ＩＤに応じた識別信号ＳＩを生成する（Ｓ１２４）。
【００８０】
送信手段Ｆ１２４は、動作信号生成手段Ｆ１２２が生成した動作信号ＳＣと、識別信号生成手段Ｆ１２３が生成した識別信号ＳＩと、を含む送信信号ＳＳを生成し（Ｓ１２６）、無線通信により送信する（Ｓ１２７）。このように、本実施形態に係る個別リモコン装置１０２においては、リモコン使用者の操作入力に応じた動作信号ＳＣと個別ＩＤに応じた識別信号ＳＩとを含んだ送信信号ＳＳを生成して送信することができる。
【００８１】
図１１は、本実施形態に係る共通リモコン装置２０２の動作の流れを示すフローチャートである。共通リモコン装置２０２においては、このフローチャートに示す動作が一定の周期で繰り返し実行されている。
【００８２】
動作が開始されると、入力手段Ｆ２２１が共通リモコン装置２０２に対する入力の有無を判断する（Ｓ２２１）。共通リモコン装置２０２に対する入力としては、共通リモコン装置２０２が備えるボタンやスイッチ、タッチパネル等の操作入力部に対する入力が例示される。入力手段Ｆ２２１が共通リモコン装置２０２に対する入力を検知した場合は（Ｓ２２１：Ｙｅｓ）、動作信号生成手段Ｆ２２２が入力に応じた動作信号ＳＣを生成する（Ｓ２２２）。入力を検知しない場合は（Ｓ２２１：Ｎｏ）、入力を検知するまで、共通リモコン装置２０２に対する入力の有無の判断を繰り返し実行する。
【００８３】
入力手段Ｆ２２１が共通リモコン装置２０２に対する入力を検知した場合は（Ｓ２２１：Ｙｅｓ）、識別信号生成手段Ｆ２２３は、共通ＩＤに応じた識別信号ＳＩを生成する（Ｓ２２４）。
【００８４】
送信手段Ｆ２２４は、動作信号生成手段Ｆ２２２が生成した動作信号ＳＣと、識別信号生成手段Ｆ２２３が生成した識別信号ＳＩと、を含む送信信号ＳＳを生成し（Ｓ２２６）、無線通信により送信する（Ｓ２２７）。このように、本実施形態に係る共通リモコン装置２０２においては、リモコン使用者の操作入力に応じた動作信号ＳＣと共通ＩＤに応じた識別信号ＳＩとを含む送信信号ＳＳを生成して送信することができる。
【００８５】
（３）第３の実施形態： 
本実施形態は、トイレスペースの全体的な構成については第２の実施形態と同様であり、個別リモコンと共通リモコンとで異なる無線通信媒体を採用しており、これら異なる無線通信媒体を用いた通信の双方にトイレ本体が対応している点で上述した第２の実施形態と相違する。そこで、本実施形態においては、トイレスペースの全体的な構成については第２の実施形態と同じ符号を用いて説明を省略する。
【００８６】
図１２は、本実施形態に係る個別リモコン装置３０２の機能的構成を示すブロック図である。個別リモコン装置３０２は、入力手段Ｆ３２１、動作信号生成手段Ｆ３２２、識別信号生成手段Ｆ３２３、及び送信手段Ｆ３２４を有する。
【００８７】
入力手段Ｆ３２１は、使用者から操作入力を受け付けるものであり、例えば、スイッチやタッチパネル等で構成される。入力手段Ｆ３２１は、使用者が行った操作に応じた操作信号ＳＨを生成し、この操作信号ＳＨを動作信号生成手段Ｆ３２２へ出力する。
【００８８】
動作信号生成手段Ｆ３２２は、入力手段Ｆ３２１から入力される操作信号ＳＨに応じた動作信号ＳＣを生成し、この動作信号ＳＣを送信手段Ｆ３２４へ出力する。
【００８９】
識別信号生成手段Ｆ３２３は、個別ＩＤを記憶するＩＤ記憶部を有している。識別信号生成手段Ｆ３２３は、個別ＩＤに応じた識別信号ＳＩを生成し、送信手段Ｆ３２４へ供給する。
【００９０】
送信手段Ｆ３２４は、動作信号生成手段Ｆ３２２から入力される動作信号ＳＣに識別信号生成手段Ｆ３２３から供給される識別信号ＳＩを付与して送信信号ＳＳとし、この送信信号ＳＳを共通リモコン装置４０２とは異なる所定の無線通信媒体を用いて送信する。なお、本実施形態では、個別リモコン装置３０２が使用する無線通信媒体を電波として説明を行う。
【００９１】
以上の構成により、個別リモコン装置３０２は、上述した第２の実施形態に係る図１０に示すフローチャートと同様の動作を行う。これにより、個別リモコン装置３０２は、共通リモコン装置４０２とは異なる所定の無線通信媒体としての電波を無線通信媒体として、リモコン使用者の操作入力に応じた動作信号ＳＣと個別ＩＤに応じた識別信号ＳＩとを含んだ送信信号ＳＳを生成して送信することができる。
【００９２】
図１３は、本実施形態に係る共通リモコン装置４０２の機能的構成を示すブロック図である。共通リモコン装置４０２は、入力手段Ｆ４２１、動作信号生成手段Ｆ４２２、識別信号生成手段Ｆ４２３、及び送信手段Ｆ４２４を有する。
【００９３】
入力手段Ｆ４２１は、使用者から操作入力を受け付けるものであり、例えば、スイッチやタッチパネル等で構成される。入力手段Ｆ４２１は、使用者が行った操作に応じた操作信号ＳＨを生成し、この操作信号ＳＨを動作信号生成手段Ｆ４２２へ出力する。
【００９４】
動作信号生成手段Ｆ４２２は、入力手段Ｆ４２１から入力される操作信号ＳＨに応じた動作信号ＳＣを生成し、この動作信号ＳＣを送信手段Ｆ４２４へ出力する。
【００９５】
識別信号生成手段Ｆ４２３は、共通ＩＤを記憶するＩＤ記憶部を有している。識別信号生成手段Ｆ４２３は、共通ＩＤに応じた識別信号ＳＩを生成し、送信手段Ｆ４２４へ供給する。
【００９６】
送信手段Ｆ４２４は、動作信号生成手段Ｆ４２２から入力される動作信号ＳＣに識別信号生成手段Ｆ４２３から供給される識別信号ＳＩを付与して送信信号ＳＳとし、この送信信号ＳＳを個別リモコン装置３０２とは異なる所定の無線通信媒体を介した通信により送信する。なお、本実施形態では、共通リモコン装置４０２が使用する無線通信媒体を赤外線として説明を行う。
【００９７】
以上の構成により、共通リモコン装置４０２は、上述した第２の実施形態に係る図１１に示すフローチャートと同様の動作を行う。これにより、共通リモコン装置４０２は、赤外線を無線通信媒体として、リモコン使用者の操作入力に応じた動作信号ＳＣと共通ＩＤに応じた識別信号ＳＩとを含んだ送信信号ＳＳを生成して送信することができる。
【００９８】
図１４は、本実施形態に係るトイレ本体３０１が備える便座装置３２０の機能的構成を示すブロック図である。便座装置３２０は、概略、人体検知手段Ｆ３１と、受信手段Ｆ３２と、解読手段Ｆ３３と、保持手段Ｆ３４と、実行手段Ｆ３５と、を備える。なお、人体検知手段Ｆ３１と、解読手段Ｆ３３と、保持手段Ｆ３４と、実行手段Ｆ３５については、上述した第１の実施形態の人体検知手段Ｆ１と、解読手段Ｆ３と、保持手段Ｆ４と、実行手段Ｆ５と同様であるため、詳細な説明は省略する。
【００９９】
受信手段Ｆ３２は、第１の受信手段Ｆ３２１と第２の受信手段Ｆ３２２を有する。第１の受信手段Ｆ３２１は、電波を無線通信媒体とする通信によりリモコン装置３０２が送信する送信信号ＳＳを受信する。第２の受信手段Ｆ３２２は、赤外線を無線通信媒体とする通信によりリモコン装置４０２が送信する送信信号ＳＳを受信する。
【０１００】
図１５は、トイレ本体３０１が実行する判定処理の流れを示すフローチャートである。この判定処理は、トイレ本体３０１において一定の周期で繰り返し実行されている。
【０１０１】
処理が開始されると、第１の受信手段Ｆ３２１と第２の受信手段Ｆ３２２における無線信号の受信の有無を判断する（Ｓ３１）。そして、第１の受信手段Ｆ３２１と第２の受信手段Ｆ３２２の少なくとも一方で無線信号を受信した場合は（Ｓ３１：Ｙｅｓ）、解読手段Ｆ３が受信信号ＳＲに自機の個別ＩＤ又は共通ＩＤが付与されているか判断する（Ｓ３２）。なお、以降の動作は、図６に示す第１の実施形態の場合と同様であるため、説明を省略する。
【０１０２】
このように、本実施形態においては、個別リモコン装置３０２では、送受信可能範囲が相対的に広い無線通信媒体である電波を使用し、共通リモコン装置４０２では、送受信可能範囲が相対的に狭い無線通信媒体である赤外線を使用している。
【０１０３】
このため、共通リモコン装置４０２のように、複数のトイレ本体３０１に対して動作指示や設定変更指示を行うリモコン装置が発信する無線信号が使用者の意図しない範囲に設置されたトイレ本体３０１にまで到達する可能性を防止している。特に、赤外線通信という光通信の一種を無線通信媒体に採用することで、別の階や近隣の建物のトイレ室に設置されているトイレ本体に無線信号が到達する可能性を回避している。
【０１０４】
その一方で、個別リモコン装置３０２については無線通信媒体に電波を採用して無線信号の到達範囲を広くしてあるが、トイレ本体３０１は、異なる識別ＩＤを付与された受信信号ＳＲに含まれる動作信号ＳＣに応じた機能を実行しないため、信号の到達範囲を広くしても使用者が意図しない動作を行ったり不測の設定変更を行ったりする可能性は極めて低い。
【０１０５】
なお、図１５に示すフローチャートでは、第１の受信手段Ｆ３２１を介して受信した受信信号ＳＲも第２の受信手段Ｆ３２２を介して受信した受信信号ＳＲも同じステップＳ３４で識別信号ＳＩの種類を判断しているが、この判断に代えて第１の受信手段Ｆ３２１と第２の受信手段Ｆ３２２の何れで受信した受信信号ＳＲかを判断してもよい。この場合、第１の受信手段Ｆ３２１を介して受信した受信信号の場合はステップＳ３４からステップＳ３５に進み、第２の受信手段Ｆ３２２を介して受信した受信信号の場合はステップＳ３４からステップＳ３６に進むことになる。
【０１０６】
（４）第４の実施形態： 
図１６は、本実施形態に係るトイレシステムＴＳ”を説明する図である。同図に示すトイレシステムＴＳ”は、複数のトイレスペースＴＳｍ（ｍ＝１〜５）を有する。各トイレスペースＴＳｍは、上述した第１〜第３の実施形態のトイレスペースＴＳ，ＴＳ’と同様の構成である。
【０１０７】
なお、トイレシステムＴＳ”は、１つのトイレスペースＴＳｍから一定範囲内（共通ＩＤを含む送信信号ＳＳの到達範囲内、等）に他のトイレスペースＴＳｍが存在する態様であればよく、全トイレスペースＴＳｍが予め１つのシステムとして施工・建設される必要はなく、例えば、別個独立に施工された複数のトイレスペースＴＳｍが後発的に本実施形態に係るトイレシステムＴＳ”を構成する場合もある。
【０１０８】
本実施形態に係る各トイレスペースＴＳｍは、互いに異なる共通ＩＤが設定されている。
【０１０９】
例えば、本実施形態のトイレスペースＴＳｍを第１の実施形態に係るトイレスペースで構成する場合は、リモコン装置２の識別信号生成手段Ｆ２３が記憶する共通ＩＤ及びトイレ本体１がステップＳ４で判断する共通ＩＤが他のトイレスペースの共通ＩＤと異なっている。このため、１つのトイレスペースで共通モードのリモコン装置２を用いて操作入力を行った場合に、その操作入力によって他のトイレスペースのトイレ本体が動作したり設定変更されたりする恐れが無い。
【０１１０】
また、例えば、本実施形態のトイレスペースＴＳｍを第３の実施形態に係るトイレスペースで構成する場合には、リモコン装置４０２の識別信号生成手段Ｆ４２３が記憶する共通ＩＤ及びトイレ本体３０１の解読手段Ｆ３３が判断する共通ＩＤを他のトイレスペースの共通ＩＤと異ならせる点は同様であるが、個別リモコン装置３０２の送信手段Ｆ３２４が使用する無線通信媒体として送受信可能範囲が相対的に狭い無線通信媒体である赤外線を使用し、共通リモコン装置４０２の送信手段Ｆ４２４が使用する無線通信媒体として送受信可能範囲が相対的に広い無線通信媒体である電波を使用することが可能となる。
【０１１１】
これは、１つのトイレスペースＴＳｍから一定範囲内に他のトイレスペースＴＳｍが存在する場合であっても、一方のトイレスペースＴＳｍで発信された共通ＩＤを含む送信信号ＳＳが他方のトイレスペースＴＳｍに到達したとしても、当該送信信号ＳＳには他方のトイレスペースＴＳｍに設置されたトイレ本体３０１の共通ＩＤが含まれていないため、当該送信信号ＳＳが含む動作信号ＳＣに基づく動作や設定変更が誤って行われることがないためである。
【０１１２】
なお、本発明は上述した実施形態に限られず、上述した実施形態の中で開示した各構成を相互に置換したり組み合わせを変更したりした構成、公知技術並びに上述した実施形態の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【０１１３】
１…トイレ本体、２…リモコン装置、１０…洋式腰掛便器（便器）、１０ａ…上面、１１…ボウル部、２０…便座装置、２１…ケーシング、２２…便座、２３…便蓋、１０２…個別リモコン装置、２０２…共通リモコン装置、３０１…トイレ本体、３０２…個別リモコン装置、３２０…便座装置、４０２…共通リモコン装置、Ｆ１…人体検知手段、Ｆ２…受信手段、Ｆ３…解読手段、Ｆ４…保持手段、Ｆ５…実行手段、Ｆ２１…入力手段、Ｆ２２…動作信号生成手段、Ｆ２３…識別信号生成手段、Ｆ２４…送信手段、Ｆ３１…人体検知手段、Ｆ３２…受信手段、Ｆ３３…解読手段、Ｆ３４…保持手段、Ｆ３５…実行手段、Ｆ３２１…第１の受信手段、Ｆ３２２…第２の受信手段、Ｆ１２１…入力手段、Ｆ１２２…動作信号生成手段、Ｆ１２３…識別信号生成手段、Ｆ１２４…送信手段、Ｆ２２１…入力手段、Ｆ２２２…動作信号生成手段、Ｆ２２３…識別信号生成手段、Ｆ２２４…送信手段、Ｆ３２１…入力手段、Ｆ３２２…動作信号生成手段、Ｆ３２３…識別信号生成手段、Ｆ３２４…送信手段、Ｆ４２１…入力手段、Ｆ４２２…動作信号生成手段、Ｆ４２３…識別信号生成手段、Ｆ４２４…送信手段、Ｐｎ…個室、Ｒｎ…リモコン装置、Ｒｎ…個別リモコン装置、Ｒ００…共通リモコン装置、ＴＳ…トイレスペース、ＴＳ”…トイレシステム、Ｔｎ…トイレ本体、ＴＳ’…トイレスペース、ＴＳｍ…トイレスペース
【図１】
0006492866.tif 000002
【図２】
0006492866.tif 000003
【図３】
0006492866.tif 000004
【図４】
0006492866.tif 000005
【図５】
0006492866.tif 000006
【図６】
0006492866.tif 000007
【図７】
0006492866.tif 000008
【図８】
0006492866.tif 000009
【図９】
0006492866.tif 000010
【図１０】
0006492866.tif 000011
【図１１】
0006492866.tif 000012
【図１２】
0006492866.tif 000013
【図１３】
0006492866.tif 000014
【図１４】
0006492866.tif 000015
【図１５】
0006492866.tif 000016
【図１６】
0006492866.tif 000017